【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
記憶媒体に隣接して読取／書込ヘッド／スライダアセンブリを支持し、かつヘッドを読取／書込回路構成に電気的に相互接続するための一体的なロードビームアセンブリであって、前記ロードビームアセンブリは、
前記読取／書込ヘッド／スライダアセンブリに近接して延びる一般的に平らな導電性部材と、
前記導電性部材上に置かれた第１の電気絶縁層と、
前記第１の電気絶縁層上に置かれた第１の電気トレース経路と、
前記第１の電気トレース経路上に置かれた第２の電気絶縁層と、
前記第２の電気絶縁層上に置かれた第２の電気トレース経路とを含み、
前記第２の電気トレース経路は、前記導電性部材の縦方向の長さのうち少なくとも大部分に沿って前記第１の電気トレース経路に対して決定されるゼロよりも大きい連続的な横方向のオフセットをもって整列し、前記一体的なロードビームアセンブリのインダクタンス、キャパシタンスおよび抵抗のうち少なくとも１つを制御するようにする、一体的なロードビームアセンブリ。
【請求項２】
前記一般的に平らな導電性部材が、前記記憶媒体に密に近接して前記読取／書込ヘッド／スライダアセンブリを位置づけるためのジンバルを含む屈曲部を含む、請求項１に記載の一体的なロードビームアセンブリ。
【請求項３】
記憶媒体に隣接して読取／書込ヘッド／スライダアセンブリを支持し、かつ前記ヘッドを読取／書込回路構成に電気的に相互接続するための一体的なロードビームアセンブリであって、前記ロードビームアセンブリは、
前記読取／書込ヘッド／スライダアセンブリに近接して延びる一般的に平らな導電性部材と、
前記導電性部材上に置かれた第１の電気絶縁層と、
前記第１の電気絶縁層上に置かれた第１および第３の電気トレース経路と、
前記第１および第３の電気トレース経路上に置かれた第２の電気絶縁層と、
前記第２の電気絶縁層上に置かれた第２および第４の電気トレース経路とを備え、
前記第２および第４の電気トレース経路は互いに対して横方向にオフセットされ、かつ前記第１および第３の電気トレース経路の上部にそれぞれ縦方向に整列し、前記第１の電気トレース経路は前記第４の電気トレース経路と並列接続され、前記第２の電気トレース経路は前記第３の電気トレース経路と並列接続される、一体的なロードビームアセンブリ。
【請求項４】
記憶媒体に隣接して読取／書込ヘッド／スライダアセンブリを支持し、かつ前記ヘッドを読取／書込回路構成に電気的に相互接続するための一体的なロードビームアセンブリであって、前記ロードビームアセンブリは、
前記読取／書込ヘッド／スライダアセンブリに近接して延びる一般的に平らな導電性部材と、
前記導電性部材上に置かれた第１の電気絶縁層と、
前記第１の電気絶縁層上に、横方向に隔てられて置かれた第１および第２の電気トレース経路と、
前記第１および第２の電気トレース経路上に置かれた第２の電気絶縁層と、
前記第２の電気絶縁層上に、横方向に隔てられて置かれた第３および第４の電気トレース経路と、
前記第３および第４の電気トレース経路上に置かれた第３の電気絶縁層と、
前記第３の電気絶縁層上に、横方向に隔てられて置かれた第５および第６の電気トレース経路とを含み、前記第１、第３および第５の電気トレース経路が互いに対して縦および横方向に整列し、かつ並列接続され、前記第２、第４および第６の電気トレース経路が互いに対して縦および横方向に整列し、かつ並列接続される、一体的なロードビームアセンブリ。
【請求項５】
記憶媒体に隣接して読取／書込ヘッド／スライダアセンブリを支持し、かつ前記ヘッドを読取／書込回路構成に電気的に相互接続するための一体的なロードビームアセンブリであって、前記ロードビームアセンブリは、
前記読取／書込ヘッド／スライダアセンブリに近接して延びる一般的に平らな導電性部材と、
前記一般的に平らな導電性部材上に置かれた第１の電気絶縁層と、
前記第１の電気絶縁層上に置かれた少なくとも第１の電気信号トレース経路と、前記第１の電気絶縁層上に、前記少なくとも第１の電気信号トレース経路についての各々の側部に沿って横方向に置かれた複数の第１の層の電気グラウンドトレース経路と、
前記少なくとも第１の電気トレース経路および前記複数の第１の層の電気信号グラウンドトレース経路の上に置かれた第２の電気絶縁層と、
前記第２の電気絶縁層上に置かれた少なくとも１つの第２の層の電気グラウンドトレース経路とを備え、前記少なくとも１つの第２の層の電気グラウンドトレース経路は、前記導電性部材の縦方向の長さのうち少なくとも大部分に沿って前記少なくとも第１の電気信号トレース経路に対して横方向に整列し、前記一体的なロードビームアセンブリのインダクタンス、キャパシタンスおよび抵抗のうち少なくとも１つを制御するようにする、一体的なロードビームアセンブリ。
【請求項６】
前記第１の電気絶縁層上に置かれた少なくとも第１および第２の電気信号トレース経路と、前記第２の電気絶縁層上に置かれた複数の第２の層の電気グラウンドトレース経路とをさらに含み、前記第２の層の電気グラウンドトレース経路は、前記一体的なロードビームアセンブリのインダクタンス、キャパシタンスおよび抵抗のうち少なくとも１つを調整するように選択された距離をおいて、前記少なくとも第１および第２の電気信号トレース経路から横方向に隔てられる、請求項５に記載の一体的なロードビームアセンブリ。
【請求項７】
記憶媒体に隣接して読取／書込ヘッド／スライダアセンブリを支持し、かつヘッドを読取／書込回路構成に電気的に相互接続するための一体的なロードビームアセンブリであって、前記ロードビームアセンブリは、
前記読取／書込ヘッド／スライダアセンブリに近接して延びる一般的に平らなベース部材と、
前記一般的に平らなベース部材上に、横方向に隔てられて置かれた複数の第１の電気グラウンドトレースと、
前記複数の第１の電気グラウンドトレース上に置かれた第１の電気絶縁層と、
前記第１の電気絶縁層上に、互いに対して、および前記複数の第１の電気グラウンドトレースに対して、横方向に隔てられて置かれた少なくとも２つの電気信号トレース経路と、
前記第１の電気絶縁層上に、前記少なくとも２つの電気信号トレース経路についての各々の側部に置かれた複数の第２の層の電気グラウンドトレースと、
前記少なくとも２つの電気信号トレース経路上、および前記複数の第２の層の電気グラウンドトレース上に置かれた第２の電気絶縁層と、
前記第３の電気絶縁層上に置かれた複数の第３の層の電気グラウンドトレースとを備え、前記第３の層の電気グラウンドトレースは、前記少なくとも２つの電気信号トレース経路に対して横方向に整列し、前記一体的なロードビームアセンブリのインダクタンス、キャパシタンスおよび抵抗のうち少なくとも１つを制御するようにする、一体化したロードビームアセンブリ。
【請求項８】
前記読取／書込ヘッド／スライダアセンブリは読取エレメントと書き込みエレメントとを含み、前記少なくとも２つの電気信号トレース経路は、前記読取エレメントに接続された２つの電気読取信号トレース経路と、前記書込エレメントに接続され、かつ前記第１の電気絶縁層上に、互いに対して、および前記複数の第１の電気グラウンドトレースに対して横方向に隔てられて、前記複数の第２の層の電気グラウンドトレース内に置かれる２つの電気書込信号トレース経路とを含み、前記第３の層の電気グラウンドトレースは、前記２つの電気読取信号トレース経路および前記２つの電気書込信号トレース経路に対して横方向にオフセットされ、前記一体的なロードビームアセンブリのインダクタンス、キャパシタンスおよび抵抗のうち少なくとも１つを制御するようにする、請求項７に記載の一体的なロードビームアセンブリ。
【請求項９】
記憶媒体に隣接して読取／書込ヘッドを支持し、かつ前記ヘッドを読取／書込回路構成に電気的に相互接続するための一体的な屈曲部／導体構造であって、前記屈曲部／導体構造は、
前記読取／書込ヘッドを支持するためのジンバルを有する一般的に平らな導電性屈曲部材と、
前記屈曲部材上に置かれた第１の電気絶縁層と、
前記第１の電気絶縁層上に置かれた少なくとも第１の電気トレース経路と、
前記第１の電気トレース経路上に置かれた第２の電気絶縁層と、
前記第２の電気絶縁層上に置かれた少なくとも第２の電気トレース経路とを含み、
前記第２の電気トレース経路は、前記第１の電気トレース経路に沿って、前記第１の電気トレース経路および前記第２の電気トレース経路を含む信号ループの電気インピーダンスパラメータを制御するように選択された前記第１の電気トレース経路に沿った前記第２の電気トレース経路の重なりの前記導電性部材の程度の縦方向の長さのうち少なくとも大部分に沿って、前記第１の電気トレース経路に整列および部分的に重なる、一体的な屈曲部／導体構造。
【請求項１０】
記憶媒体に隣接して読取／書込ヘッド／スライダアセンブリを支持し、かつ前記ヘッドを読取／書込回路構成に電気的に相互接続するための一体的な屈曲部／導体構造であって、前記屈曲部／導体構造は、
前記読取／書込ヘッド／スライダアセンブリを支持するためのジンバルを有する一般的に平らな導電性屈曲部材と、
前記屈曲部材上に置かれた第１の電気絶縁層と、
前記第１の電気絶縁層上に置かれた第１および第２の電気トレース経路と、
前記第１および第２の電気トレース経路上に置かれた第２の電気絶縁層と、
前記第２の電気絶縁層上に置かれた第３および第４の電気トレース経路とを含み、
前記第３および第４の電気トレース経路は互いに対して横方向にオフセットされ、かつ前記第１および第２の電気トレース経路の上部にそれぞれ縦方向に整列し、
前記第１の電気トレース経路は前記第４の電気トレース経路と並列接続され、前記第２の電気トレース経路は前記第３の電気トレース経路と並列接続される、一体的な屈曲部／導体構造。
【請求項１１】
記憶媒体に隣接して読取／書込ヘッド／スライダアセンブリを支持し、かつ前記ヘッドを読取／書込回路構成に電気的に相互接続するための一体的な屈曲部／導体構造であって、前記屈曲部／導体構造は、
前記読取／書込ヘッド／スライダアセンブリを支持するためのジンバルを有する一般的に平らな導電性屈曲部材と、
前記屈曲部材上に置かれた第１の電気絶縁層と、
前記第１の電気絶縁層上に、横方向に隔てられて置かれた第１および第２の電気トレース経路と、
前記第１および第２の電気トレース経路上に置かれた第２の電気絶縁層と、
前記第２の電気絶縁層上に、横方向に隔てられて置かれた第３および第４の電気トレース経路と、
前記第３および第４の電気トレース経路上に置かれた第３の電気絶縁層と、
前記第３の電気絶縁層上に、横方向に隔てられて置かれた第５および第６の電気トレース経路とを含み、
前記第１、第３および第５の電気トレース経路は互いに対して縦および横方向に整列し、かつ並列接続され、
前記第２、第４および第６の電気トレース経路は互いに対して縦および横方向に整列し、かつ並列接続される、一体的な屈曲部／導体構造。